(57)【要約】【課題】  下部取付構造の巻上機を容易に昇降路内頂部に設置できるエレベーターの巻上機支持装置を得る。【解決手段】  上枠４、縦枠６、下枠７及び連結枠８により巻上機設置枠９を形成し、昇降路１内の頂部を横切って設けた支持梁３によって支持する。そして、巻上機設置枠９の下部部材に巻上機１０の下部を締結して巻上機１０を昇降路１内頂部に設置する。  これによって、下部を介して機械台等に設置される構造の巻上機１０を、昇降路１内頂部に容易に設置できて巻上機１０の製造費を節減することができる。また、巻上機１０の重心位置と主索１１による負荷の作用点とが、支持梁３、防振体５位置よりも下方になるので、昇降路１内頂部に設置した巻上機を安定した状態に設置することができる。【選択図】        図１
2005178990.tif 000002
【特許請求の範囲】
【請求項１】
エレベーターの昇降路内に設けられ上記昇降路頂部を横切って配置されて水平投影面において互いに離れて並列に配置され、長手両端がそれぞれ上記昇降路の固定部に支持された支持梁と、この支持梁の長手に沿う方向に互いに離れて配置されて上記支持梁の上面に防振体を介して支持された上枠、この上枠の長手両端部にそれぞれ配置されて上端が上記上枠に連結されて下垂した縦枠、両端が上記縦枠の下端にそれぞれ連結された下枠及び上記支持梁の長手に沿う方向に互いに離れて配置された上記縦枠下端相互を連結した連結枠からなり、上記下枠及び連結枠の少なくとも一方を介して上記エレベーターの巻上機が設置された巻上機設置枠とを備えたエレベーターの巻上機支持装置。
【請求項２】
支持梁を、エレベーターの昇降路内の頂部における互いに対向した壁面にそれぞれ設けられた凹所からなる固定部によって、上記昇降路内頂部に配置されたものとしたことを特徴とする請求項１記載のエレベーターの巻上機支持装置。
【発明の詳細な説明】
【技術分野】
【０００１】
この発明は、昇降路内頂部に設けた支持部材によって巻上機を支持するエレベーターの巻上機支持装置に関する。
【背景技術】
【０００２】
従来のエレベーターの巻上機支持装置においては、昇降路内に配置されたエレベーターの巻上機の上部が昇降路内頂部に設けられた取付用梁に直接締結される。そして、巻上機に巻掛けられた主索によってエレベーターのかご等を吊持するように構成されている。（例えば、特許文献１参照）。
【０００３】
【特許文献１】特許２８８９１２５号公報（第５頁、第１図）
【０００４】
従来のエレベーターの巻上機支持装置では、昇降路内頂部に設けられた巻上機の上部が取付用梁に直接締結される。このため、上部取付構造以外の巻上機、すなわち巻上機の下部を介して機械台等に設置される構造の巻上機を昇降路内頂部に設置することができないという問題点があった。
【０００５】
この発明は、かかる問題点を解消するためになされたものであり、下部取付構造の巻上機を容易に昇降路内頂部に設置できるエレベーターの巻上機支持装置を得ることを目的とする。
【発明の開示】
【課題を解決するための手段】
【０００６】
この発明に係るエレベーターの巻上機支持装置においては、エレベーターの昇降路内に設けられ昇降路頂部を横切って配置されて水平投影面において互いに離れて並列に配置され、長手両端がそれぞれ昇降路の固定部に支持された支持梁と、この支持梁の長手に沿う方向に互いに離れて配置されて支持梁の上面に防振体を介して支持された上枠、この上枠の長手両端部にそれぞれ配置されて上端が上枠に連結されて下垂した縦枠、両端が縦枠の下端にそれぞれ連結された下枠及び支持梁の長手に沿う方向に互いに離れて配置された縦枠下端相互を連結した連結枠からなり、下枠及び連結枠の少なくとも一方を介してエレベーターの巻上機が設置された巻上機設置枠とが設けられる。
【発明の効果】
【０００７】
この発明によるエレベーターの巻上機支持装置は、昇降路頂部を横切って配置された支持梁に巻上機設置枠が設けられ、巻上機設置枠の下部部材に巻上機の下部が締結されて、巻上機が昇降路内頂部に設置される。このため、下部を介して機械台（図示しない）等に設置される構造の巻上機を昇降路内頂部に容易に設置することができ、巻上機の製造費を節減する効果がある。また、巻上機の重心位置と主索による負荷の作用点とが、支持梁、防振体位置よりも下方になるので、昇降路内頂部に設置された巻上機の設置状態を安定化する効果がある。
【発明を実施するための最良の形態】
【０００８】
実施の形態１．
図１及び図２は、この発明の実施の形態を示す図で、図１はエレベーター昇降路頂部の正面図、図２は図１の側面図である。図において、エレベーターの昇降路１内の頂部における互いに対向した壁面にそれぞれ取付体がアンカーボルトによって締結され、この取付体によって固定部２が形成される。そして、支持梁３が昇降路１内に設けられ昇降路１頂部を横切って配置されて水平投影面において互いに離れて並列に配置され、長手両端がそれぞれ固定部２に支持される。
【０００９】
また、上枠４が支持梁３の長手に沿う方向に互いに離れて配置されて、長手の両端部がそれぞれ支持梁３の上面に防振ゴムからなる防振体５を介して支持される。そして、縦枠６が上枠４の長手両端部にそれぞれ配置されて上端が上枠４に連結されて下垂して設けられる。また、下枠７が縦枠６の下端に配置され、両端がそれぞれ対向した縦枠６に連結される。
【００１０】
さらに、連結枠８が支持梁３の長手に沿う方向に互いに離れて配置された縦枠６下端相互を連結して配置される。そして、上枠４、縦枠６、下枠７及び連結枠８を主要部材とする巻上機設置枠９が形成される。この巻上機設置枠９の下枠７及び連結枠８の少なくとも一方を介してエレベーターの巻上機１０が設置されて巻上機１０の下部が締結される。そして、エレベーターの主索１１が巻上機１０に巻掛けられる。
【００１１】
上記のように構成されたエレベーターの巻上機支持装置において、昇降路１頂部を横切って配置された支持梁３に巻上機設置枠９が設けられて、巻上機設置枠９の下部部材に巻上機１０の下部が締結されて、巻上機１０が昇降路１内頂部に設置される。このため、下部を介して機械台（図示しない）等に設置される構造の巻上機１０を昇降路１内頂部に容易に設置することができ、巻上機１０の製造費を節減することができる。また、巻上機１０の重心位置と主索１１による負荷の作用点とが、支持梁３、防振体５位置よりも下方になるので、巻上機１０を安定した状態に昇降路１内頂部に設置することができる。
【００１２】
実施の形態２．
図３は、この発明の他の実施の形態を示す図で、前述の図１相当図である。図において、前述の図１及び図２と同符号は相当部分を示し、エレベーターの昇降路１内の頂部における互いに対向した壁面にそれぞれ設けられた凹所によって固定部１２が形成される。そして、支持梁３が昇降路１内に設けられ昇降路１頂部を横切って配置されて水平投影面において互いに離れて並列に配置され、長手両端がそれぞれ固定部１２に嵌合状態に配置されて支持される。
【００１３】
上記のように構成されたエレベーターの巻上機支持装置においても、昇降路１頂部を横切って配置された支持梁３に巻上機設置枠９が設けられて、巻上機設置枠９の下部部材に巻上機１０の下部が締結される。したがって、詳細な説明を省略するが図３の実施の形態においても図１及び図２の実施の形態と同様な作用が得られる。
【図面の簡単な説明】
【００１４】
【図１】この発明の実施の形態１を示す図であり、エレベーター昇降路頂部の正面図。
【図２】図１の側面図。
【図３】この発明の実施の形態２を示す図で、前述の図１相当図。
【符号の説明】
【００１５】
１  昇降路、２  固定部、３  支持梁、４  上枠、５  防振体、６  縦枠、７  下枠、８  連結枠、９  巻上機設置枠、１０  巻上機、１２  固定部。
【図１】
2005178990.tif 000003
【図２】
2005178990.tif 000004
【図３】
2005178990.tif 000005